(57)【要約】  本発明は、特にジョギング、スケート、スキー等のスポーツ活動において使用するための衣服に関する。発汗の最も著しい領域に複数の空調面（１１，１２，１３，１４）が設けられている。
2008513624.tif 000002
【特許請求の範囲】
【請求項１】
発汗の最も著しい領域に複数の空調面（１１，１２，１３，１４）が設けられていることを特徴とする、衣服。
【請求項２】
空調面（１１，１２，１３，１４）がリブ編み形式で形成されている、請求項１記載の衣服。
【請求項３】
空調面（１１，１２，１３，１４）がメッシュ編み織布で形成されている、請求項１記載の衣服。
【請求項４】
空調面（１１，１２，１３，１４）に伸長接合部が設けられている、請求項２又は３記載の衣服。
【発明の詳細な説明】
【技術分野】
【０００１】
本発明は、特にジョギング、スケート、スキー等のスポーツ活動において使用するための衣服に関する。
【０００２】
衣服は人間を保護するために、特に天候から保護するために役立つ。例えばスポーツ活動等の特定の条件下で、衣服は更に怪我から保護するために役立つ。外気温が高い場合を除いて、衣服は主に複数層で重ね着される複数の異なる衣服アイテムから成っている。この場合、衣服の最も外側の層は、風による人間の冷えを防止し且つ降雨時には衣服内への水の侵入から保護するために、主として防風性及び防水性であるという課題を有している。
【０００３】
特に複数層の衣服の場合は発汗の生じる可能性がある。この発汗は、人間のスポーツ活動時には平均以上に多い。発汗により、衣服の着心地は著しく低下されている。とりわけ、例えば腋の下の領域等の最も激しく発汗するゾーンでは、肌における不快な感覚が生ぜしめられ、このことが更に、スポーツ活動後の引き続く冷却に際して、風邪又はけいれん等の危険を高めている。これらの危険を低下させるためには、汗の搬出を可能にする努力が成されている。
【０００４】
このためには、衣服の肌に面した側に、湿気の吸収を可能にしようとするテリーループを設けることが公知である。このように形成された衣服の欠点は、テリーループは湿気を吸収はするが、湿気を肌から導出するわけではなく、テリーループ自体に吸い取ってしまうという点にある。これにより、湿気は衣服に残留するので、スポーツ活動後、高度の発汗区分を被覆する衣服の領域は湿気った状態にあり、引き続き肌と接触する。このことは不快な感覚を肌にもたらす。この不快な感覚は、特にスポーツ活動に続いて人間と衣服の両方が冷え、延いては衣服内の低温の湿気が皮膚と接触することによって強められる。
【０００５】
更に、発汗の増大を防止するためには、最も著しい発汗の生じるゾーンに通気部を設けることが公知である。この手段は、極めて限られた範囲内でしか効果的でない。更に、主として孔の形で衣服に形成された通気部は、特に既に汗が形成されてしまった場合、風又はすきま風において不快な着心地を生ぜしめる。
【０００６】
従って本発明の課題は、生じた湿気の蒸発を可能にすると同時に、冷え並びに特に負荷される箇所における外部からの湿気及びすきま風の侵入を防止する衣服を提供することである。本発明に基づきこの課題は、発汗が最も著しい領域に複数の空調面が設けられていることによって解決される。
【０００７】
本発明によって、発生した汗の搬出を著しく改善し且つ冷えに対する保護手段を形成する、特にスポーツ活動用の衣服が得られる。衣服に種々様々な空調面を設けることによって、特定の身体箇所における発汗量に関連して汗を吸収する若しくは搬出する領域を衣服に設ける可能性が生じる。
【０００８】
本発明の別の改良は従属請求項に記載されている。
【０００９】
以下に、本発明の実施例を図面につき詳しく説明する。
【００１０】
実施例として選択した衣服２はオーバオールである。このオーバオールは図示の人間を首から手首若しくは足首まで被覆している。衣服２は種々様々な空調面１１，１２，１３，１４を有している。これらの空調ゾーン１１，１２，１３，１４は、それぞれ異なる材料から製作されている。例えば羊毛ウールと、エラスタン繊維、中空繊維等の弾性繊維材料のような、コンビネーション材料を使用することが可能である。
【００１１】
空調面１１は、腋の下の領域に配置されている。これらの空調面１１は、特に発汗により負荷される領域から湿気を導出するために寄与する。空調面１１は、互いに平行に配置された多数のリブによって形成されている。空調面１１はリブ編み形式で製作されている。このリブ編み形式の場合、織布は肌に完全には接触しないので、より多くの空気が肌に到達することができる。本実施例では、当該領域はネックステンから製作されている。リブは、高度な運動の自由を保証する一方で、リブ間には小さな通路が形成されており、これらの通路が汗のより良好な導出に寄与する。
【００１２】
図３に示した実施例では、空調面１１が腋の下の領域に直接に配置されており且つ衣服２の上体の領域２１と袖２２の両方に向かって延びている。これにより、極めて大面積の空調面が得られる。これに対して図４に示した実施例では、空調面１１は衣服２の上体の領域２１にしか配置されておらず、袖２２のシーム２３に対して間隔をあけて設けられている。これにより、空調面は腋の下のやや下位に配置されており、延いては滴下する汗を確実に捕集する。
【００１３】
空調面１２はひかがみの領域に配置されている。当該空調面１２は、生じた汗を吸収し且つ蒸発を可能にする非常に薄い織布から製作されている。
【００１４】
空調面１３はひじ関節の内側領域に配置されている。当該空調面１３は非常に薄い材料から成っており、このことは、スポーツ活動時の高い体温によって負荷されるひじ関節の内側に良好な空調をもたらす。
【００１５】
股上の領域には付加的な空調面１４が設けられている。この空調面１４は特別なメッシュ編み織布から製作されており、このメッシュ編み織布の場合は、使用された糸によって肌の８０％しか被覆されていない。これにより、最適な空気循環が生ぜしめられている。更に、摩擦による擦剥きの危険を低下させるためには、特に肌に優しく且つ小さな摩擦係数を有する糸が使用される。
【００１６】
最適な運動の自由を可能にするためには、本実施例の変化形において、空調面１１，１２，１３，１４に伸長接合部が設けられていてよい。
【００１７】
空調面１１，１２，１３，１４に加えて付加的に、衣服２にはパッドが設けられていてよく、この場合、特に「棒状パッド」が使用可能である。有利には、これらのパッドは下腿領域及び下腕領域に配置されていてよい。パッドは、有利にはウール又は木綿によって被覆された中空繊維から製作されている。中空プラスチック糸は、特に著しく衝撃緩衝性及び圧力緩衝性である。更に、ハイネックシューズにおける摩耗を減少させるためには、アキレス腱の領域にパッドが設けられていてよい。更に、軽量のパッドを大腿領域に設ける可能性がある。これにより、この大腿領域においても冷却若しくは湿気の侵入の危険が低下される。
【００１８】
本発明による衣服は、複数の空調面を設けることにより、特にスポーツ活動において生じる様々な負荷を考慮している。つまり、スポーツに際して高い体温及び高度の発汗が生じるひかがみ、ひじ関節の内側、腋の下及び股上等のゾーンに、熱滞留を防ぎ且つ生じる汗を皮膚から導出し且つ蒸発を改善する複数の空調面が設けられている。
【００１９】
本発明は、明細書及び請求項に記載された衣服のような一体の構成のみに限定されるものではない。むしろ、個々の又は全ての空調ゾーンが、例えば上着とズボンの形の複数の衣服に分配されていてもよい。別個の衣服における本発明の個々の又は全ての特徴の組み合わせも、本発明の枠内に含まれる。本発明の構成は、下着にも上着にも設けられていてよい。
【図面の簡単な説明】
【００２０】
【図１】着衣した人間の正面図である。
【図２】図１に示した人間を後ろから見た図である。
【図３】腕を上方に向けた状態で下腕空調面を部分的に示した図である。
【図４】腕を上方に向けた状態で、別の構成の下腕空調面を部分的に示した図である。
【図１】
2008513624.tif 000003
【図２】
2008513624.tif 000004
【図３】
2008513624.tif 000005
【図４】
2008513624.tif 000006
【国際調査報告】
2008513624.tif 000007
2008513624.tif 000008
2008513624.tif 000009
2008513624.tif 000010